(57)【要約】【課題】複数種類の演出の組合せによる演出効果を向上させ、遊技の興趣を向上させることが可能な遊技機を提供することである。【解決手段】役物飾りランプにより発光演出がされた可動部材の動作態様に対応した演出画像等の表示演出による可変表示部の表示状態の制御とともに、役物飾りランプの発光色に対応した演出画像の演出表示色による可変表示部の表示状態の制御を行なう。【選択図】　　　　図８
2004041439.tif 000002
【特許請求の範囲】
【請求項１】
表示状態が変化可能な可変表示装置を有し、該可変表示装置の表示結果が予め定められた特定の表示態様になったときに遊技者にとって有利な特定遊技状態に制御可能となる遊技機であって、
遊技者に動作が視認可能な箇所に設けられ、前記可変表示装置の前面側を含む予め定められた可動範囲で動作演出を行なう遊技の演出に用いられる可動演出手段と、
該可動演出手段を発光演出するための発光体と、
前記可変表示装置での表示状態を制御する表示制御手段とを含み、
該表示制御手段は、前記可動演出手段による動作演出が行なわれたときに、前記可変表示装置において、前記可動演出手段の動作態様に対応した表示演出を表示する制御を実行するとともに前記表示演出を前記発光体の発光態様に対応した対応表示態様により表示する制御を実行することを特徴とする、遊技機。
【請求項２】
前記可動演出手段は、光を透過する透光部を有し、
前記発光体は、前記可動演出手段の裏面側に前記可動演出手段とは別体でかつ前記可動演出手段が前記可動範囲内でのいずれの位置であっても、前記発光体からの光が前記透光部を透過可能な位置に設けられていることを特徴とする、請求項１に記載の遊技機。
【請求項３】
前記可動演出手段の可動範囲は、前記可動演出手段が前記可動範囲内でのいずれの位置であっても前記可変表示装置の前面側に位置するように設定されていることを特徴とする、請求項１または２に記載の遊技機。
【請求項４】
前記発光体は、複数の色で発光する機能を有し、
前記対応表示態様は、前記発光体の発光色と同じ色を用いた演出用画像であることを特徴とする、請求項１から３のいずれかに記載の遊技機。
【請求項５】
前記表示制御手段は、前記可動演出手段による動作演出が行なわれたときに、前記表示演出を前記発光体の発光態様に対応した対応表示態様により表示する制御を実行するときと当該対応表示態様により表示する制御を実行しないときとがあり、当該対応表示態様により表示する制御を実行するときの方が、当該対応表示態様により表示する制御を実行しないときよりも、前記可変表示装置においてリーチ状態を表示させる割合が高いことを特徴とする、請求項１から４のいずれかに記載の遊技機。
【請求項６】
前記表示制御手段は、前記可動演出手段による動作演出が行なわれたときに、前記表示演出を前記発光体の発光態様に対応した対応表示態様により表示する制御を実行するときと当該対応表示態様により表示する制御を実行しないときとがあり、当該対応表示態様により表示する制御を実行するときの方が、当該対応表示態様により表示する制御を実行しないときよりも、前記可変表示装置において表示結果を前記特定の表示態様とする割合が高いことを特徴とする、請求項１から５のいずれかに記載の遊技機。
【請求項７】
前記可動演出手段、前記発光体、および、前記可変表示装置は、１つのマイクロコンピュータにより制御されることを特徴とする、請求項１から６のいずれかに記載の遊技機。
【発明の詳細な説明】
【０００１】
【発明の属する技術分野】
本発明は、パチンコ遊技機、コイン遊技機、スロットマシンなどで代表される遊技機に関する。詳しくは、表示状態が変化可能な可変表示装置を有し、該可変表示装置の表示結果が予め定められた特定の表示態様になったときに遊技者にとって有利な特定遊技状態に制御可能となる遊技機に関する。
【０００２】
【従来の技術】
この種の遊技機として従来から一般的に知られているものに、表示状態が変化可能な可変表示装置を有し、該可変表示装置の表示結果が予め定められた特定の表示態様（たとえば、大当り図柄の組合せ）になったときに遊技者にとって有利な特定遊技状態（大当り遊技状態）に制御可能となるように構成されたものがあった。このような可変表示装置は、可変表示等による表示演出により遊技の演出をするために用いられていた。
【０００３】
また、従来の遊技機においては、可変表示装置に加えて、可動部材等を動作させる動作演出により遊技の演出を行なう可動演出手段が設けられ、表示演出と動作演出とを組合せて実行するものがあった。さらに、従来の遊技機においては、可変表示装置および可動演出手段に加えて、所定の色で光る等の発光演出により遊技の演出を行なう発光体が設けられ、表示演出、動作演出、および、発光演出を組合せて実行するものがあった。
【０００４】
【発明が解決しようとする課題】
しかし、従来の遊技機では、次のような問題があった。表示演出と動作演出とを組合せて実行する遊技機においては、表示演出と可動演出と間に関連性を持たせた複合的な演出が行なわれるが、単に２種類の演出を組合せたものであるために、演出の組合せが単調になり、遊技者に演出が飽きられがちであった。
【０００５】
また、表示演出、動作演出、および、発光演出を組合せて実行する遊技機においては、動作演出および発光演出を直接的に組合せた演出と、発光演出および表示演出を直接的に組合せた演出とが行なわれていたが、これらすべての演出を直接的に組合せた演出が行なわれておらず、今一つ演出の面白みに欠けていた。
【０００６】
この発明はかかる実情に鑑み考え出されたものであり、その目的は、複数種類の演出の組合せによる演出効果を向上させ、遊技の興趣を向上させることが可能な遊技機を提供することである。
【０００７】
【課題を解決するための手段の具体例およびその効果】
（１）　表示状態が変化可能な可変表示装置（可変表示装置８、可変表示部９）を有し、該可変表示装置の表示結果が予め定められた特定の表示態様（大当り図柄の組合せ）になったときに遊技者にとって有利な特定遊技状態（大当り遊技状態）に制御可能となる遊技機（パチンコ遊技機１）であって、
遊技者に動作が視認可能な箇所に設けられ、前記可変表示装置の前面側を含む予め定められた可動範囲で動作演出（リーチ前の報知等）を行なう遊技の演出に用いられる可動演出手段（可動部材１０）と、
該可動演出手段を発光演出するための発光体（役物飾りランプ４０）と、
前記可変表示装置での表示状態を制御する表示制御手段（演出制御用マイクロコンピュータ８００の表示制御機能）とを含み、
該表示制御手段は、前記可動演出手段による動作演出が行なわれたときに、前記可変表示装置において、前記可動演出手段の動作態様に対応した表示演出を表示（演出画像９１の表示）する制御を実行するとともに前記表示演出を前記発光体の発光態様に対応した対応表示態様により表示する（発光色に対応する色での演出画像９１の表示）制御を実行する（Ｓ２，Ｓ５，Ｓ７，Ｓ１０）。
【０００８】
このような構成によれば、発光体により発光演出がされた可動演出手段の動作態様に対応した表示演出を表示する制御が実行されるとともに表示演出を発光体の発光態様に対応した対応表示態様により表示する制御が実行されるので、表示演出の工夫により、動作演出、発光演出、および、表示演出を相互に直接的に組合せた演出を行なうことができる。これにより、表示演出を介在して３種類の演出に一体的な連係感が生じ、複数種類の演出の組合せによる演出効果を向上させることができ、遊技の興趣を向上させることができる。
【０００９】
（２）　前記可動演出手段は、光を透過する透光部（透光部１０ｅ）を有し、前記発光体は、前記可動演出手段の裏面側に前記可動演出手段とは別体でかつ前記可動演出手段が前記可動範囲内でのいずれの位置であっても、前記発光体からの光が前記透光部を透過可能な位置に設けられている　（図５の（ａ），（ｂ）参照）。
【００１０】
このような構成によれば、可動演出手段が可動範囲内でのいずれの位置であっても、発光体からの光が透光部を透過するので、可動演出手段が動作していないときと可動演出手段が動作しているときとのいずれの状態であっても可動演出手段を光らせることができる。これにより、可動演出手段が動作演出をする遊技の演出の演出態様を多彩化することができ、遊技の興趣を向上させることができる。しかも、可動演出手段自体に発光体を設ける必要がないので、可動演出手段の構造を単純化することができる。さらに、可動演出手段による動作演出と発光演出手段による発光演出とを隣接して行なうことができるので、動作演出と発光演出とが組合わされた演出を遊技者により分かりやすくすることができる。
【００１１】
（３）　前記可動演出手段の可動範囲は、前記可動演出手段が前記可動範囲内でのいずれの位置であっても前記可変表示装置の前面側に位置するように設定されている（図３参照）。
【００１２】
このような構成によれば、可動演出手段の可動範囲が可動演出手段が可動範囲内でのいずれの位置であっても可変表示装置の前面側に位置するように設定されているので、表示演出と動作演出との組合せにより、視覚的な遊技の演出が行なわれる範囲を可変表示装置での表示が行なわれる領域を超えた範囲まで拡張することができ、遊技の演出を多彩化することができる。また、可動演出手段が動作していないときでも、可動演出手段に対応した表示演出を可変表示装置に表示することにより可動演出手段と可変表示装置との組合せによる演出を行なうことができる。
【００１３】
（４）　前記発光体は、複数の色で発光する機能を有し、
前記対応表示態様は、前記発光体の発光色と同じ色を用いた演出用画像である（図８、図９参照）。
【００１４】
このような構成によれば、発光体の発光色と同じ色を用いた演出用画像により表示演出がされるので、発光演出と表示演出とが対応関係を持って実行されていることを分かりやすく示すことができる。
【００１５】
（５）　前記表示制御手段は、前記可動演出手段による動作演出が行なわれたときに、前記表示演出を前記発光体の発光態様に対応した対応表示態様により表示する制御を実行するときと当該対応表示態様により表示する制御を実行しないときとがあり、当該対応表示態様により表示する制御を実行するときの方が、当該対応表示態様により表示する制御を実行しないときよりも、前記可変表示装置においてリーチ状態を表示させる割合が高い（図８参照）。
【００１６】
このような構成によれば、可動演出手段による動作演出が行なわれたときの表示演出を対応表示態様により表示する制御が実行されるときの方が、対応表示態様により表示する制御が実行されないときよりも、リーチ状態が表示される割合が高くなるので、発光体の発光態様に対応した表示演出がされるか否かに基づいて、遊技者の期待感および興趣を向上させることができる。
【００１７】
（６）　前記表示制御手段は、前記可動演出手段による動作演出が行なわれたときに、前記表示演出を前記発光体の発光態様に対応した対応表示態様により表示する制御を実行するときと当該対応表示態様により表示する制御を実行しないときとがあり、当該対応表示態様により表示する制御を実行するときの方が、当該対応表示態様により表示する制御を実行しないときよりも、前記可変表示装置において表示結果を前記特定の表示態様とする割合が高い（図９参照）。
【００１８】
このような構成によれば、可動演出手段による動作演出が行なわれたときの表示演出を対応表示態様により表示する制御が実行されるときの方が、対応表示態様により表示する制御が実行されないときよりも、可変表示装置において表示結果が特定の表示態様となる割合が高くなるので、発光体の発光態様に対応した表示演出がされるか否かに基づいて、遊技者の期待感および興趣を向上させることができる。
【００１９】
（７）　前記可動演出手段、前記発光体、および、前記可変表示装置は、１つのマイクロコンピュータ（演出制御用マイクロコンピュータ８００）により制御される（図６参照）。
【００２０】
このような構成によれば、可動演出手段、発光体、および、可変表示装置が１つのマイクロコンピュータにより制御されるので、動作演出、発光演出、および、表示演出を相互に対応させた演出の実行を容易化することができる。さらに、このような動作演出、発光演出、および、表示演出を相互に対応させた演出において、各演出間の対応関係に狂いを生じにくくさせることができる。
【００２１】
【発明の実施の形態】
以下に、本発明の実施の形態を図面に基づいて詳細に説明する。なお、本実施の形態においては、遊技機の一例としてパチンコ遊技機を示すが、本発明はこれに限らず、表示状態が変化可能な可変表示装置を有し、該可変表示装置の表示結果が予め定められた特定の表示態様になったときに遊技者にとって有利な特定遊技状態に制御可能となる遊技機であればすべて対象となる。
【００２２】
まず、遊技機の一例であるパチンコ遊技機１の全体構成について説明する。図１はパチンコ遊技機１を正面から見た正面図、図２はパチンコ遊技機１の遊技盤面を正面から見た正面図である。
【００２３】
図１に示すように、パチンコ遊技機１は、縦長な方形状に枠組形成される外枠２ａと、該外枠２ａの内側に開閉可能に軸支されかつパチンコ遊技機１の主要構成部が集約して設けられる前面枠２ｂと、該前面枠２ｂの前面上部に開閉自在に軸支されて設けられる額縁状のガラス扉枠２とから構成されている。ガラス扉枠２の下部表面には打球供給皿３が設けられている。前面枠２ｂにおいて、打球供給皿３の下部には、打球供給皿３から溢れた貯留球を貯留する余剰球受皿４と打球を発射する打球操作ハンドル（操作ノブ）５とが設けられている。また、ガラス扉枠２の後方に位置する前面枠２ｂには、前面側に遊技領域７が形成された遊技盤１００が着脱可能に設けられている。前面枠２ｂおよびガラス扉枠２は、パチンコ遊技機１の正面から見て左側の端部において軸支され、軸支位置を開閉軸として開閉される。ガラス扉枠２には、遊技盤１００の遊技領域７をほぼ透視し得る透視窓が開設され該透視窓の裏面からガラス板が装着されている。
【００２４】
遊技領域７の外側の左右上部には、効果音を発する２つのスピーカ２７が設けられている。遊技領域７の外周には、遊技効果ランプ２８ａ，２８ｂ，２８ｃが設けられている。そして、この例では、遊技効果ランプ２８ｂの近傍に景品球払出時に点灯する賞球ランプ５１が設けられ、遊技効果ランプ２８ａの近傍に補給球が切れたときに点灯する球切れランプ５２が設けられている。
【００２５】
さらに、図１には、パチンコ遊技機１に隣接して設置され、プリペイドカードが挿入されることによって球貸を可能にするカードユニット５０も示されている。カードユニット５０に挿入されたカード内に残額情報が記憶されている場合には、その残額の引落としに応じて、遊技者に対する遊技球の貸出しが行なわれる。
【００２６】
カードユニット５０には、使用可能状態であるか否かを示す使用可能表示ランプ１５１、カード内に記憶された残額情報に端数（１００円未満の数）が残存する場合にその端数を打球供給皿３の近傍に設けられている度数表示ＬＥＤ（Ｌｉｇｈｔ　Ｅｍｉｔｔｉｎｇ　Ｄｉｏｄｅ）に生じさせるための端数表示スイッチ１５２、カードユニット５０がいずれの側のパチンコ遊技機１に対応しているのかを示す連結台方向表示器１５３、カードユニット５０内にカードが投入されていることを示すカード投入表示ランプ１５４、記憶媒体としてのカードが挿入されるカード挿入口１５５、および、カード挿入口１５５の裏面に設けられているカードリーダライタの機構を点検する場合にカードユニット５０を開放するためのカードユニット錠１５６が設けられている。
【００２７】
図２を参照して、遊技領域７は、遊技盤１００に設けられている。遊技者が図１に示される打球操作ハンドル５を操作すれば、打球待機樋（図示せず）に貯留されている遊技用のパチンコ玉が打球発射装置（図示せず）により１発ずつ弾発発射され、区画レール１０１に沿って誘導されて遊技領域７内に打込まれる。
【００２８】
以下、遊技領域７の構成をその遊技動作に従って詳細に説明する。
遊技領域７の中央付近には、液晶表示器よりなる可変表示部９を含む可変表示装置８が設けられている。なお、可変表示部９は、液晶表示器に限らず、ＣＲＴ（Ｃａｔｈｏｄｅ　Ｒａｙ　Ｔｕｂｅ）、ＦＥＤ（Ｆｉｅｌｄ　Ｅｍｉｓｓｉｏｎ　Ｄｉｓｐｌａｙ）、ＰＤＰ（Ｐｌａｓｍａ　Ｄｉｓｐｌａｙ　Ｐａｎｅｌ）、ドットマトリクス、７セグメントＬＥＤ等のＬＥＤ（Ｌｉｇｈｔ　Ｅｍｉｔｔｉｎｇ　Ｄｉｏｄｅ）、エレクトロルミネッセンス、蛍光表示管等のその他の画像表示式の表示装置（可変表示部）により構成されてもよい。また、可変表示部９は、画像表示式の表示装置（可変表示部）に限らず、外周に複数種類の図柄が描かれた回転ドラムを回転駆動する回転ドラム式、表面に複数種類の図柄が描かれたベルトを回転移動させるものや複数種類の図柄が描かれた円盤を回転させるもの（ロタミント）等のその他の機械式（電気的駆動源により駆動される機械式のもの）の可変表示装置（可変表示部）であってもよい。
【００２９】
可変表示部９は、数字、数字以外の文字、図形、模様、キャラクタ等の複数種類の識別情報（特別識別情報）としての特別図柄と、図形等の複数種類の識別情報（普通識別情報）としての普通図柄とをそれぞれ可変表示（更新表示，変動表示ともいう）可能である。ここで、キャラクタとは、可変表示装置（可変表示部）に表示される人間，動物，あるいは物等を表わす映像をいう。なお、可変表示部９により可変表示される識別情報は、数字、文字、図形、模様、キャラクタ等の識別情報であれば、どのような識別情報であってもよく、数字のみ、文字のみ、図形のみ、模様のみ、キャラクタのみ、または、これらを適宜組合せたものであってもよい。
【００３０】
可変表示部９では、左図柄，中図柄，右図柄の３つの特別図柄を並んで表示可能な表示領域を有し、これらの特別図柄をスクロール等の方式で可変表示可能である。また、可変表示部９では、特別図柄の背景を表す背景画像が表示される。
【００３１】
また、可変表示部９では、当り図柄である○印とはずれ図柄である×印とを普通図柄として交互に表示することにより普通図柄を可変表示（更新表示，変動表示ともいう）可能な表示領域を有している。
【００３２】
なお、本実施の形態においては、液晶表示器よりなる可変表示部９に普通図柄を表示する例を示したが、これに限らず、ＬＥＤ、７セグメント表示器など、数字等のその他の図柄を可変表示可能なその他の表示手段を普通図柄の可変表示のために使用してもよい。つまり、普通図柄としては、何らかの形で特別図柄と区別して認識できるようなものであればよい。
【００３３】
また、可変表示部９では、それぞれ最大「４」まで表示可能な始動入賞記憶表示領域とゲート通過記憶表示領域とが設けられている。この始動入賞記憶表示領域で表示されている数により、特別図柄の可変表示を始動させるための始動入賞口１４への入賞数が上限を４として記憶（メモリへの記憶）されていること（始動入賞記憶という）が表示される。また、ゲート通過記憶表示器で表示されている数により、普通図柄の可変表示を始動させるための通過ゲート１１への遊技球の通過数が上限を４として記憶（メモリへの記憶）されていること（普通始動記憶という）が表示される。
【００３４】
なお、始動入賞口１４を通過した遊技球の通路には、入賞した遊技球である入賞球（入賞玉）を検出する始動口スイッチ１７が設けられており、始動口スイッチ１７により遊技球が検出された場合には、始動入賞記憶表示領域で表示される始動入賞記憶数を加算更新させるための制御が行なわれる。そして、特別図柄の可変表示の開始条件が成立した場合には、始動入賞記憶表示領域で表示される始動入賞記憶数を減算更新させるための制御が行なわれとともに、特別図柄の可変表示を開始させる制御が行なわれる。
【００３５】
また、通過ゲート１１を通過した遊技球の通路には、通過した遊技球を検出するゲートスイッチ１２が設けられており、ゲートスイッチ１２が遊技球を検出した場合には、ゲート通過記憶表示領域で表示される普通始動記憶数を加算更新させるための制御が行なわれる。そして、普通図柄の可変表示の開始条件が成立した場合には、普通始動記憶表示領域で表示される普通始動記憶数を減算更新させるための制御が行なわれとともに、普通図柄の可変表示を開始させる制御が行なわれる。
【００３６】
可変表示装置８の下方位置には、ソレノイド１６によって開閉動作される始動入賞球装置１５（電動チューリップ役物）を兼用する始動入賞口１４と、ソレノイド２１により駆動される開閉板２９の開閉動作により開閉される大入賞口２０を有する可変入賞球装置３０とが上から順に配列されている。始動入賞口１４に入った球は、始動口スイッチ１７によって検出された後、遊技盤１００の背面に導かれる。また、大入賞口２０に入った球は、Ｖカウントスイッチ２３もしくはカウントスイッチ２２に検出された後、遊技盤１００の背面に導かれる。また、大入賞口２０から可変入賞球装置３０内に入った球のうち、Ｖカウントスイッチ２３により検出された球は、その後、カウントスイッチ２２に向けて誘導され、カウントスイッチ２２により検出される。したがって、大入賞口２０から内部に入った球は、結果的にすべてカウントスイッチ２２により検出される。
【００３７】
遊技盤１００には複数の入賞口１９，２４が通常入賞口として設けられている。遊技球の入賞口１９，２４への入賞は、入賞口スイッチ１９ａ，２４ａによってそれぞれ検出される。複数の入賞口１９，２４それぞれに対応して入賞口スイッチ１９ａ，２４ａが設けられているため、各入賞口１９，２４毎に入賞した球の検出が迅速に行なわれる。
【００３８】
遊技領域７には、遊技中に点灯表示される装飾ランプ２５が設けられている。また、遊技領域７の下部には、入賞しなかった打球を吸収するアウト口２６が設けられている。
【００３９】
打球発射装置から発射され遊技領域７に入った打球（打玉）は、遊技領域７を下りてくる。打球が通過ゲート１１を通ってゲートスイッチ１２で検出されると、その検出信号に基づいて普通図柄が所定期間可変表示した後、表示結果が導出表示される制御が行なわれる。普通図柄の可変表示結果が、当り図柄として予め定められた表示態様（○印の図柄）である場合には、始動入賞球装置１５が所定時間閉状態から開放状態に制御され、始動入賞口１４に打球が入賞しやすい状態となる。その後、始動入賞球装置１５は、閉状態となる。
【００４０】
打球が始動入賞口１４に入り始動口スイッチ１７で検出されると、図柄の変動を開始できる状態であれば、可変表示部９において、特別図柄の可変表示を開始させる制御が行なわれる。一方、図柄の可変表示が開始できる状態でなければ、メモリの始動入賞記憶数および表示される始動入賞記憶数が１増やされる。そして、可変表示部９での可変表示が開始される毎にメモリの始動入賞記憶数および表示される始動入賞記憶数が１ずつ減らされる。
【００４１】
可変表示部９での特別図柄の可変表示は、一定時間が経過したときに停止し、表示結果が導出表示される。表示結果が導出表示されるときには、基本的に、左図柄、右図柄、中図柄の順に特別図柄が停止表示される。そして、停止時の図柄の組合せが大当り図柄の組合せ（たとえば、７７７等のぞろ目の特定の図柄の組合せ）となると、遊技者にとって有利な特定遊技状態である大当り遊技状態が発生し、通常遊技状態からその大当り遊技状態に移行する制御が行なわれる。大当り遊技状態においては、開閉板２９の動作により、通常状態において閉状態とされている大入賞口２０が、一定時間経過するまで、または、所定個数（たとえば１０個）の打球が入賞するまで開放される制御が行なわれる。そして、大入賞口２０の開放中に打球が特定入賞領域に入賞しＶカウントスイッチ２３で検出されると、継続権が発生し大入賞口２０を開放させる制御が再度行なわれる。このような継続権の発生は、所定回数（たとえば１５ラウンド）許容される。このような継続権の発生を繰り返す制御は、繰返し継続制御と呼ばれる。
【００４２】
図示を省略するが、可変入賞球装置３０の内部（大入賞口２０内）においては、シーソー式の玉振分部材としての大入賞口内誘導板が設けられている。この大入賞口内誘導板は、Ｖカウントスイッチ２３の方向へ向けて傾斜した状態と、Ｖカウントスイッチ２３とは逆の方向へ向けて傾斜した状態とのいずれかの状態に切換え可能となるようにソレノイド３３により駆動制御される。その場合、大入賞口２０が１回開放されたとき（１ラウンド中）には、Ｖカウントスイッチ２３が玉を１個検出するまでは、振分部材がＶカウントスイッチ２３の方向へ向けて傾斜した状態にされることにより、玉がＶカウントスイッチ２３により検出されやすい状態にされ、Ｖカウントスイッチ２３が玉を１個検出した後は、振分部材がＶカウントスイッチ２３とは逆方向へ向けて傾斜した状態にされることにより、玉がＶカウントスイッチ２３により検出されにくい状態にされる。
【００４３】
また、可変表示装置８の可変表示中（この場合は、可変表示部９の可変表示中）においては、リーチ状態（リーチ表示）が発生する場合がある。ここで、リーチとは、表示状態が変化可能な可変表示装置（可変表示部）を有し、該可変表示装置が時期を異ならせて複数の表示結果を導出表示し、該複数の表示結果が予め定められた特定の表示態様の組合せとなった場合に、遊技状態が遊技者にとって有利な特定遊技状態となる遊技機において、前記複数の表示結果の一部がまだ導出表示されていない段階で、既に導出表示されている表示結果が前記特定の表示態様の組合せとなる条件を満たしている表示状態をいう。また、別の表現をすれば、リーチとは、表示状態が変化可能な可変表示部を複数有する可変表示装置の表示結果が予め定められた特定の表示態様の組合せになった場合に、遊技状態が遊技者にとって有利な特定遊技状態となる遊技機において、前記可変表示装置の表示結果がまだ導出表示されていない段階で、前記特定の表示態様の組合せが表示されやすい可変表示態様となったと遊技者に思わせるための表示状態をいう。そして、たとえば、前記特定の表示態様の組合せが揃った状態を維持しながら複数の前記可変表示部による可変表示を行なう状態もリーチ表示状態に含まれる。さらにリーチの中には、それが出現すると、通常のリーチに比べて、大当りが発生しやすいものがある。このような特定のリーチをスーパーリーチという。
【００４４】
また、リーチ状態とは、可変表示装置が可変開始された後表示制御が進行して表示結果が導出表示される前段階にまで達した時点でも、前記特定の表示態様となる表示条件から外れていない表示態様をもいう。
【００４５】
また、リーチ状態とは、可変表示装置の表示制御が進行して表示結果が導出表示される前段階にまで達した時点での表示状態であって、前記表示結果が導出表示される以前に決定されている複数の可変表示領域の表示結果の少なくとも一部が前記特定の表示態様となる条件を満たしている場合の表示状態をもいう。
【００４６】
可変表示の停止時における可変表示部９での特別図柄の組合せが大当り発生の確率変動を伴う大当り図柄の組合せ（確率変動図柄の組合せともいう）である場合には、次に大当りとなる確率が高くなる。すなわちこのような場合には、予め定められた確率変動終了条件が成立するまで、特別遊技状態としての確率変動状態（以下、「確変」という。）という遊技者にとってさらに有利な状態となる。
【００４７】
また、確率変動状態では、普通図柄の停止図柄が当り図柄になる確率が高められるとともに、始動入賞球装置１５の開放時間と開放回数とが増加する。さらに、確率変動状態では、特別図柄および普通図柄についての図柄の可変表示開始から図柄の停止表示までの時間（変動時間）が短縮される時短制御（変動時間短縮制御）が行なわれる。
【００４８】
また、このパチンコ遊技機１においては、特別図柄の表示結果が大当りとなることが事前決定された場合には、特別図柄を一旦大当り図柄の組合せで仮に停止した後、確率変動状態を発生させるか否かを抽選により決定するように見せる演出としての再抽選表示が行なわれる。つまり、再抽選表示は、大当り図柄の組合せとなる特別図柄を一時的に仮の表示結果として表示させた後、再度可変表示開始させ、確定する表示結果をいずれかの大当り図柄の組合せとして導出表示させる演出を行なう再可変表示である。さらに言い換えると、再抽選表示は、可変表示の過程において特定表示態様（大当り図柄の組合せ）を導出した後に、再度表示結果として当該特定表示態様（大当り図柄の組合せ）と同じ、または異なる特定表示態様を導出する再可変表示である。その再可変表示の表示結果となった大当り図柄の組合せが予め定められた確率変動図柄の組合せ（たとえば、「３」，「７」等の予め定められた大当り図柄の組合せ）となった場合に、大当り制御終了後において確率変動状態が発生する。一方、再抽選の結果として確率変動図柄の組合せ以外の非確率変動図柄の組合せが表示された場合には確率変動状態は発生しない。
【００４９】
また、特別図柄の可変表示中には、リーチ状態が発生する旨を事前報知（予告）する予告報知（リーチ予告）が行なわれる場合があり、また、大当り状態が発生する旨を事前報知（予告）する予告報知（大当り予告）が行なわれる場合がある。リーチ予告を行なうか否かおよび大当り予告を行なうか否かは、それぞれ個別に、後述するようなランダムカウンタ（後述する各種ランダムカウンタと同様の機能のもの）の数値データを用いた抽選により事前にランダムに決定される。リーチ予告は、実際にリーチ状態が発生する場合と実際にはリーチ状態が発生しない場合との両方の場合に行なわれる。また、大当り予告は、実際に大当り状態が発生する場合と実際には大当り状態が発生しない場合との両方の場合に行なわれる。
【００５０】
また、可変表示装置８における可変表示部９の左側部および右側部には、それぞれ龍の形状を模した可動演出手段（可動演出装置）として、左右一対の態様で２つ（複数）の可動部材１０，１０が設けられている。可動部材１０，１０は、可変表示装置８での表示に関連した動作演出を含む遊技の演出のために用いられる。可動部材１０，１０は、たとえば、可変表示部９において大当りの予告を行なう場合等、可変表示部９の表示に関連した演出を行なうときに動作させられる。
【００５１】
これら可動部材１０，１０は、それらの近傍に配置されたソレノイド７１，７１のうちの対応するものと、ソレノイド７２，７２のうちの対応するものとにより駆動され、遊技において所定の演出動作をするために所定の可動範囲内で動作制御される。各可動部材１０が動作される場合は、たとえば、龍の口を閉じた態様の待機状態から、龍の口を開いた態様の活動状態となる。さらに、各可動部材１０は、口を開いた態様の活動状態から口を閉じた態様の待機状態にも制御される。この各可動部材１０に対応して、可動部材１０の所定箇所（龍の目）を発光させるための装飾用の発光体として、複数種類の色で発光する機能を有するＬＥＤよりなる役物飾りランプ４０が可動部材１０とは別体で設けられている。このように可動部材１０の所定箇所を発光させることにより、可動部材１０の動作をより強調して示すことができる。つまり、役物飾りランプ４０は、可動部材１０を発光演出（発光による演出）するための発光体である。
【００５２】
このように、可動部材１０は、その動作が遊技者により視認可能な箇所に設けられ、可変表示装置８の前面側を含む予め定められた可動範囲で動作演出（動作による演出）を行なう遊技の演出に用いられる。また、可動部材１０は、龍の形状を模したものを一例として示したが、可動部材１０が模すものは、龍以外のものであってもよい。また、可動部材１０は、可変表示において所定のキャラクタが表示される場合にはそのようなキャラクタを模したものにすれば、演出により、可変表示部９の表示演出（表示による演出）と可動部材１０の動作演出とで統一性を表すことができる。
【００５３】
次に、パチンコ遊技機１の裏面においては、上部に遊技球を貯留する遊技球タンクが設けられ、パチンコ遊技機１が遊技機設置島に設置された状態でその上方から遊技球が遊技球タンクに供給される。遊技球タンク内の遊技球は、誘導樋を通って、後述する球払出装置９７に至る。入賞の発生により玉払出条件が成立した場合には、球払出装置９７から景品玉としての賞球がパチンコ遊技機１の前面側に設けられた打球供給皿３または余剰球受皿４に払出される。
【００５４】
入賞口スイッチ１９ａ，２４ａ、始動口スイッチ１７およびカウントスイッチ２２によりそれぞれ入賞球が検出されると、スイッチに応じて予め定められた数の賞球（景品玉）の払出しが行なわれる。たとえば、始動口スイッチ１７により入賞球が検出されると６個の賞球が払出される。また、カウントスイッチ２２により入賞球が検出されると１５個の賞球が払出される。また、入賞口スイッチ１９ａ，２４ａにより入賞球が検出されると１０個の賞球が払出される。
【００５５】
次に、この実施の形態に示されたパチンコ遊技機１における大当りとするかはずれとするかの決定（大当り判定ともいう）、リーチ状態とするか否かの決定（リーチ判定ともいう）、特別図柄の可変表示における変動パターンの決定、および、特別図柄の停止図柄の決定等の各種制御事項の決定のための処理手順を簡単に説明する。
【００５６】
大当りとするかはずれとするかの決定は、後述する図６で示す遊技制御用マイクロコンピュータ５３において、大当り決定用のランダムカウンタのカウント値を用いて行なわれる。このランダムカウンタは、大当りを発生させるか否かをランダムに決定するためのものであり、たとえば、０からカウントアップして所定の上限値までカウントアップした後再度０からカウントアップし直す数値データ更新手段である。このカウント動作は、所定周期（２ｍｓｅｃ毎）で１ずつ加算されることとなる。始動口スイッチ１７により始動入賞が検出されると、それに応じてこのランダムカウンタのカウント値が抽出され、その抽出値が、予め定められた大当り判定値と一致するか否かの判断がなされる。抽出されたランダムカウンタの値と大当り判定値とが一致した場合は、大当りを発生させることが決定され、大当り状態の制御が行なわれる。確率変動状態以外の通常の確率状態においては、大当り判定値がたとえば１つの数値に設定される。確率変動状態においては、大当り判定値が複数の数値に設定されることにより、確率変動状態の場合には大当りの発生確率が向上するのである。
【００５７】
次に、リーチ状態とするか否かの決定（リーチ判定ともいう）は、遊技制御用マイクロコンピュータ５３において、リーチ決定用のランダムカウンタのカウント値を用いて行なわれる。このランダムカウンタは、大当り判定においてはずれとする決定がされた場合にリーチ状態を発生させるか否かをランダムに決定するためのものであって、大当り決定用のランダムカウンタと同様に機能する数値データ更新手段であり、特別図柄の変動開始時等の所定のタイミングで抽出されたカウンタの値が予め定められたリーチ決定値と一致する場合に、リーチ状態とすることが決定される。一方、大当り判定において大当りとする決定がされた場合には、リーチ決定用のランダムカウンタを用いた決定は行なわれず、すべての場合にリーチ状態となる。
【００５８】
また、特別図柄の可変表示においてリーチ状態となる決定がされた場合（大当りとする決定が行なわれた場合と、はずれとする決定が行なわれた場合との両方を含む）には、遊技制御用マイクロコンピュータ５３において、リーチ状態の変動パターンが複数種類の変動パターンのうちから選択的に決定（ランダムに決定）される。このような変動パターンの決定は、変動パターン決定用のランダムカウンタのカウント値を用いて行なわれる。このランダムカウンタは、リーチ状態の変動パターンをランダムに決定するためのものであって、大当り決定用のランダムカウンタと同様に機能する数値データ更新手段であり、特別図柄の変動開始時等の所定のタイミングで抽出されたカウンタの値が、複数種類予め定められた変動パターン決定値のうちの一致するものに対応する変動パターンとすることが決定される。
【００５９】
また、特別図柄の可変表示における停止図柄の決定は、遊技制御用マイクロコンピュータ５３において、左，中，右の各図柄に対応する３つの停止図柄決定用のランダムカウンタのそれぞれのカウント値を用いて行なわれる。この各ランダムカウンタは、対応する特別図柄の停止図柄をランダムに決定するためのものであって、大当り決定用のランダムカウンタと同様に機能する数値データ更新手段である。複数種類の停止図柄のそれぞれには図柄決定用の数値データが対応付けられており、はずれとする決定がされた場合には、特別図柄の変動開始時等の所定のタイミングで各ランダムカウンタから抽出されたカウンタの値と一致する数値データに対応する図柄が左，中，右の各停止図柄として決定される。一方、大当りとする決定がされた場合には、特別図柄の変動開始時等の所定のタイミングで左図柄決定用のランダムカウンタから抽出されたカウンタの値と一致する数値データに対応する図柄が左，中，右の各停止図柄として決定される。また、リーチとする決定がされた場合には、リーチ図柄を形成する左，右図柄が、左図柄決定用のランダムカウンタから抽出されたカウンタの値と一致する数値データに対応する図柄として決定される。
【００６０】
また、前述した大当り予告をするか否かの決定は、演出制御用マイクロコンピュータ８００において、大当り予告決定用のランダムカウンタのカウント値を用いて行なわれる。このランダムカウンタは、大当り予告をするか否かをランダムに決定するためのものであって、前述した大当り決定用のランダムカウンタと同様に機能する数値データ更新手段であり、可変表示開始前の所定のタイミングで抽出されたカウンタの値が予め定められた大当り予告決定値と一致する場合に、大当り予告をすることが決定される。大当り予告をするか否かの判定は、大当りとなる事前決定がされているか否かに関わらず、可変表示が実行されるすべての場合に行なわれる。ただし、大当りとなる事前決定がされているときの方が、はずれとなる事前決定がされているときよりも、大当り予告をすることが決定される確率が高くなるように、抽出されたカウンタの値と大当り予告決定値との関係が予め定められている。
【００６１】
また、前述したリーチ予告をするか否かの決定は、演出制御用マイクロコンピュータ８００において、リーチ予告決定用のランダムカウンタのカウント値を用いて行なわれる。このランダムカウンタは、リーチ予告をするか否かをランダムに決定するためのものであって、大当り決定用のランダムカウンタと同様に機能する数値データ更新手段であり、可変表示開始前の所定のタイミングで抽出されたカウンタの値が予め定められたリーチ予告決定値と一致する場合に、リーチ予告をすることが決定される。リーチ予告をするか否かの判定は、リーチとなる事前決定がされているか否かに関わらず、可変表示が実行されるすべての場合に行なわれる。ただし、リーチとなる事前決定がされているときの方が、リーチとならない事前決定がされているときよりも、リーチ予告をすることが決定される確率が高くなるように、抽出されたカウンタの値とリーチ予告決定値との関係が予め定められている。
【００６２】
また、再抽選表示が行なわれる場合の仮の表示結果となる大当り図柄の組合せは、表示制御用マイクロコンピュータ８００の側で決定される。表示制御用マイクロコンピュータ８００は、遊技制御用マイクロコンピュータ５３からの予定停止図柄の組合せを示す表示制御コマンドの内容により、最終的な大当りの図柄の組合せである再抽選の表示結果となる大当り図柄（以下、確定大当り図柄という）の組合せを再抽選前の変動表示中に認識している。そして、表示制御用マイクロコンピュータ８００では、大当りとなる場合において、再抽選開始前に一旦表示する大当り図柄（再抽選前大当り図柄という）の組合せを事前にランダムに決定する。たとえば、再抽選前大当り図柄の組合せは、前述した大当り決定用のランダムカウンタと同様に機能するランダムカウンタを用い、そのランダムカウンタから所定のタイミングでカウント値を抽出し、前述した大当り図柄決定用のランダムカウンタと同様の手順で予め定められた大当り図柄およびカウント値の関係に基づいて、抽出値から決定される。
【００６３】
このような再抽選前大当り図柄の組合せの決定において、確定大当り図柄の組合せが確率変動図柄の組合せの場合は、再抽選前大当り図柄の組合せが確率変動図柄の組合せおよび非確率変動図柄の組合せのいずれかとなるように決定が行なわれる。一方、確定大当り図柄の組合せが非確率変動図柄の組合せの場合は、再抽選前大当り図柄の組合せが非確率変動図柄の組合せとなるように決定が行なわれる。これにより、再抽選前大当り図柄の組合せが確率変動図柄の組合せとなった場合は、再抽選後の確定大当り図柄の組合せが必ず確率変動図柄の組合せとなるので、再抽選前大当り図柄の組合せとして確率変動図柄の組合せとなった場合の再抽選後に確定大当り図柄の組合せが非確率変動図柄の組合せとなってしまうことが防がれ、遊技者の興趣の低下を防ぐことができる。
【００６４】
このパチンコ遊技機においては、制御用マイクロコンピュータにより、このような各種ランダムカウンタを用いて制御内容が決定され、その決定に従った制御が実行される。
【００６５】
なお、可動部材１０については、基本的に可変表示部９等の表示器の画面を動作により大きく遮らず、打玉の流路を変化させない位置に設けられている。しかし、可動部材１０の設置位置は、これに限るものではない。
【００６６】
次に、可動部材１０，１０の構成および動作について説明する。図３は、可動部材１０，１０の構成および動作状態を示す可変表示装置８の拡大正面図である。
【００６７】
図３を参照して、２つの可動部材１０，１０は、向かい合った２匹の龍を示すものであり、向きが異なるが同様の形状を有する可動部材である。したがって、２つの可動部材１０，１０を構成する部材も、２つの可動部材で左右対称の形状となっている。ここでは、２つの可動部材１０，１０は、対称的形状であるため、可動部材を構成する複数の部品について同一の参照符号を付し、一方を代表例として説明する。
【００６８】
可動部材１０は、上頭部１０ａ、下頭部１０ｂ、胴体部１０ｃ、および、尾部１０ｄを含む。下頭部１０ｂが龍の下顎に相当する部分であり、上頭部１０ａが下顎以外の頭部に相当する部分である。上頭部１０ａおよび下頭部１０ｂは、胴体部１０ｃの上端部に連結されている。尾部１０ｄは、胴体部１０ｃの下端部に位置する態様で、可変表示装置８の枠体（飾り部材）の一部を構成するミドルベース８ａに取り付けられている。また、上頭部１０ａには、龍の目に相当する透光部１０ｅが設けられている。この透光部１０ｅは、透明の合成樹脂よりなり、可動部材１０の裏側（具体的には可変表示装置８内部）に設けられた役物飾りランプ４０の発光を透過させることにより光る。
【００６９】
このような構成の可動部材１０は、ミドルベース８ａと、そのさらに前側に位置する枠体であるセンターベース８ｂとを含んで形成される可変表示装置８の表飾り（飾り部材）の空間内において動作可能な態様で設けられている。
【００７０】
また、図３の（ａ）における破線の両矢印（線）に示されるように、可動部材１０は、胴体部１０ｃが尾部１０ｄの近傍を中心として左右に揺動する態様で、ソレノイド７１により駆動される。この揺動により、可動部材１０全体が前方に傾くこと、および、元の位置に戻ることをするような動作が行なわれる。また、図３の（ｂ）における実線の両矢印（線）に示されるように、下頭部１０ｂは、上頭部１０ａと下頭部１０ｂとの連結部を中心として上下に揺動する態様で、ソレノイド７２により駆動される。この揺動により、可動部材１０の口が開閉する動作が行なわれる。
【００７１】
可動部材１０は、図３の（ａ）に示されるように、待機状態において上頭部１０ａの先端が可変表示部９の側端部前に位置しており、図３の（ｂ）に示されるように、活動状態において上頭部１０ａの先端がさらに可変表示部９の中心部へ向けて動作する。このような可変表示部９と可動部材１０との位置関係により、可変表示部９での可変表示と可動部材１０の動作との関連性をより強調して示すことができる。図３の（ａ）に示す位置から（ｂ）に示す位置までが可動部材１０の可動範囲である。
【００７２】
このように、可動部材１０は、可変表示装置８の前面側を含む予め定められた可動範囲で動作する。また、可動部材１０の可動範囲は、可動部材１０が可動範囲内でのいずれの位置であっても可変表示装置８の前面側に設定されている。
【００７３】
図３の（ｂ）に示されるように、上頭部１０ａの先端が可変表示部９の中心部へ向けて動作するとともに下頭部１０ｂの先端が下側へ移動して口が開いた状態になり、透光部１０ｅが光ると、それに応じて、可変表示部９で可動部材１０の口に相当する部分から火炎が放射されているような態様の演出画像９１が表示される。これにより、可動部材１０の動作に関連した表示（この場合は可動部材１０の口が開く動作と、火炎が放射される表示とが関連する）が可変表示部９において行なわれる。このような可動部材１０の動作および可変表示部９の表示は、たとえば、リーチ状態となる前の所定タイミング、リーチ状態となった時のタイミング、リーチ状態となった後の表示結果が導出表示される前の所定のタイミング、および、大当り状態となった時のタイミング等の所定の遊技状態になったときに実行される。
【００７４】
次に、可変表示部９が設けられる可変表示装置８全体の詳細な構成を説明する。図４は、可変表示装置８の分解斜視図である。
【００７５】
図４を参照して、可動部材１０は、上頭部１０ａ、下頭部１０ｂ、および、胴体部１０ｃは、複数の連結部材１０ｆにより、動作可能な態様で連結されている。可動部材１０の尾部１０ｄは、ミドルベース８ａに固定されている。連結された上頭部１０ａ、下頭部１０ｂ、および、胴体部１０ｃは、上頭部１０ａ、下頭部１０ｂ、および、胴体部１０ｃの連結部がソレノイド７２によって動作させられるリンク部材１０ｈの先端部に取付けられ、胴体部１０ｃにおける尾部１０ｄ近傍部分がソレノイド７１によって動作させられるクランク部材１０ｇの先端部に取付けられた態様で、ミドルベース８ａの左右両側部の前面側に配置される。また、上頭部１０ａ、下頭部１０ｂ、および、胴体部１０ｃの連結部には、リンク部材１０ｈに連動する上頭部１０ａの動作を防ぐためのストッパー１０ｉが設けられている。上頭部１０ａの所定位置には、透光部１０ｅを設けるための穴が形成されおり、その穴に透光部１０ｅが嵌め入れられる。
【００７６】
ミドルベース８ａ裏面側の上部には、役物飾りランプ４０，４０等の各種ＬＥＤが設けられたセンター上基板８ｆが設けられている。ミドルベース８ａの前面側の左側部および右側部のそれぞれには、内部空間に役物飾りランプ４０が挿通される筒状の導光部８１、および、導光部８１から可変表示部９へ向かう光を遮蔽する遮蔽部８２が形成されている。この導光部８１は、役物飾りランプ４０からの光を可動部材１０の透光部１０ｅまで導くためのものであり、光を導くための内部空間が一定の内径で形成されている。
【００７７】
センターベース８ｂの下部には、可変表示装置８において左右方向から流下してくる玉を始動入賞口１４の上部へ導くことが可能なステージ８ｅが取付けられている。センターベース８ｂの上部には、天飾り８ｃと上飾り８ｄとが取付けられている。
【００７８】
ミドルベース８ａの裏面側に設けられる枠体であるバックベース８ｇにおいては、中央部に、前述した可変表示部９（ここでは図示省略）が嵌込まれる長方形の開口部８３が形成されている。バックベース８ｇの裏面側においては、左右の各側に、２つのソレノイド７１，７２が取付けられている。また、バックベース８ｇの裏面側の下部には、各種ＬＥＤが設けられたセンター下基板８ｈが取付けられている。また、バックベース８ｇの裏面側の左右両端部には、左右一対のワープ玉通路８ｉ，８ｉが取付けられている。このワープ玉通路８ｉ，８ｉは、可変表示装置８の上部に設けられたワープ玉入口から入った玉を可変表示装置８の裏面側で誘導し、前述したステージ８ｅの左右から中央へ向かって放出することが可能に構成されている。
【００７９】
可変表示装置８においては、センターベース８ｂがミドルベース８ａの表面側に取付けられ、さらに、これらがバックベース８ｇの表面側に取付けられる態様で、センターベース８ｂ、ミドルベース８ａ、および、バックベース８ｇが一体となるように構成されている。
【００８０】
次に、可動部材１０の透光部１０ｅがどのように光るかということについて、役物飾りランプ４０と透光部１０ｅとの関係を具体的に示して説明する。図５は、役物飾りランプ４０と可動部材１０の透光部１０ｅとの関係を示す可変表示装置８の拡大図である。
【００８１】
図５においては、（ａ）に可動部材１０が待機状態である場合が示され，（ｂ）に可動部材１０が活動状態である場合が示されている。
【００８２】
図５の（ａ）を参照して、導光部８１は断面円形の筒状である。導光部８１の内部空間は、内縁（内部空間の外径）が、役物飾りランプ４０の外縁（外径）よりも広く、かつ、可動部材１０（透光部１０ｅ）の可動範囲よりも狭く形成されている。導光部８１の内部空間に役物飾りランプ４０が収容されている。導光部８１は、役物飾りランプ４０により発光された光を先端から透光部１０ｅに向けて導く。導光部８１の可変表示部９の方の側には、導光部８１から放射される光のうち、可変表示部９へ向かう光を遮蔽するための遮蔽部８２が設けられている。この遮蔽部８２は、導光部８１の先端部において、可変表示部９側の部分を囲む態様で前方に突出する断面半円径の壁部を有しており、その突出部分により、導光部８１からの光を遮蔽する。この例では、遮蔽部８２は導光部８１と一体的に形成されている。
【００８３】
なお、この遮蔽部８２は、ミドルベース８ａにおいて導光部８１の可変表示部９側に別体で構成される態様で設けられてもよい。つまり、遮蔽部８２は、少なくとも導光部８１の可変表示部９側の部分で光を遮蔽することが可能な形状であれば、どのような形状を採用してもよい。
【００８４】
可動部材１０が待機状態である場合は、（ａ）に示されるように、透光部１０ｅの略中心部の位置に導光部８１の先端部が対向するような位置となるように、可動部材１０が位置決めされる。また、可動部材１０が活動状態である場合は、可動部材１０が可変表示部９側へ最大限動作した状態で、（ｂ）に示されるように、透光部１０ｅの右端部の位置に導光部８１の先端部が対向するような位置となるように、可動部材１０が位置決めされる。可動部材１０が可動範囲内のいずれの位置であっても、導光部８１の先端部が透光部１０ｅに向かうこととなるように、可動部材１０と導光部８１との位置決めがなされている。このため、可動部材１０がどのような状態であっても、導光部８１から放射された光が透光部１０ｅを透過するので、透光部１０ｅが明るく光ることとなる。
【００８５】
なお、透光部１０ｅと導光部８１との位置関係は、図５に示されたものに限らず、少なくとも、導光部８１の内部空間は、透光部１０ｅの可動範囲に光を導くことが可能な範囲内で、内縁が、発光体（役物飾りランプ４０）の外縁よりも広く、かつ、可動部材１０（透光部１０ｅ）の可動範囲よりも狭ければよい。
【００８６】
図６は、パチンコ遊技機１における各種制御基板を含む制御回路の構成の一例を示すブロック図である。なお、図６には、制御基板として、遊技制御基板３１、払出制御基板３７、および、演出制御基板８０が示されている。
【００８７】
遊技制御基板３１には、遊技制御用マイクロコンピュータ５３と、スイッチ回路５８と、ソレノイド回路５９とが含まれている。遊技制御用マイクロコンピュータ５３は、プログラムに従ってパチンコ遊技機１を制御する。スイッチ回路５８は、ゲートスイッチ１２、始動口スイッチ１７、Ｖカウントスイッチ２３、カウントスイッチ２２、入賞口スイッチ１９ａ，２４ａ、満タンスイッチ４８、球切れスイッチ１８７、球切れ検出スイッチ１６７、および、賞球カウントスイッチ３０１Ａからの信号を遊技制御用マイクロコンピュータ５３に与える。ソレノイド回路５９は、入賞球装置１５を開閉するソレノイド１６、大入賞口２０の開閉板２９を開閉するソレノイド２１、および、大入賞口内誘導板を動作させるソレノイド３３を遊技制御用マイクロコンピュータ５３からの指令に従って駆動する。
【００８８】
また、遊技制御基板３１は、遊技制御用マイクロコンピュータ５３から与えられるデータに従って、大当りの発生を示す大当り情報、可変表示部９の可変表示開始（始動）に利用された始動入賞球の個数を示す始動情報（有効始動情報）、確率変動が生じたことを示す確変情報、および、賞球数を示す賞球情報をホール管理コンピュータ等のホストコンピュータに対して出力する情報出力回路６４を含んでいる。
【００８９】
遊技制御用マイクロコンピュータ５３は、遊技制御用のプログラム等を記憶する記憶手段の一例であるＲＯＭ５４、ワークメモリとして使用される記憶手段の一例であるＲＡＭ５５、制御用プログラムに従って制御動作を行なうＣＰＵ５６およびＩ／Ｏポート部５７を含む遊技制御用のマイクロコンピュータである。この実施の形態ではＲＯＭ５４，ＲＡＭ５５はＣＰＵ５６に搭載されている。すなわち、ＣＰＵ５６は、１チップマイクロコンピュータである。なお、ＣＰＵ５６とＲＯＭ５４，ＲＡＭ５５とは１チップ化されていなくてもよい。つまり、ＲＯＭ５４、ＲＡＭ５５およびＩ／Ｏポート部５７は外付けであっても内蔵されていてもよい。また、Ｉ／Ｏポート部５７は、マイクロコンピュータにおける情報入出力可能な端子である。遊技制御用マイクロコンピュータ５３は、接続された各種スイッチ（検出器）からの信号を受け、接続された制御対象の機器を駆動する制御を行なう。
【００９０】
さらに、遊技制御基板３１には、遊技制御用マイクロコンピュータ５３から与えられるアドレス信号をデコードしてＩ／Ｏポート部５７のうちいずれかのＩ／Ｏポート部を選択するための信号を出力するアドレスデコード回路６７が設けられている。なお、球払出装置９７から遊技制御基板３１に入力されるスイッチ情報もあるが、図６においてはそれらは省略されている。
【００９１】
また、演出制御基板８０には、表示制御、ランプ制御、可動部材制御、および、音制御の各制御手段として機能し、これらの制御により遊技の演出制御を行なうことが可能な演出制御用マイクロコンピュータ８００が搭載されている。この演出制御用マイクロコンピュータ８００の構成は、前述した遊技制御用マイクロコンピュータ５３と同様である。
【００９２】
遊技制御基板３１から演出制御基板８０には、演出制御基板８０により制御が行なわれる機器の制御のための指令情報である演出制御コマンド等の情報が伝送される。演出制御用マイクロコンピュータ８００は、このような演出制御コマンドに応じて制御対象機器を駆動する制御を行なう。
【００９３】
そのため、演出制御コマンドには、特別図柄および普通図柄の可変表示制御内容についての表示制御コマンド、ランプおよびＬＥＤ等の発光体（以下、ランプと総称する）の制御内容についてのランプ制御コマンド、可動部材の制御内容についての可動部材制御コマンド、ならびに、音の制御内容についての音制御コマンドが含まれている。
【００９４】
具体的に、表示制御コマンドとしては、たとえば可変表示の変動パターン（可変表示の開始を含む）、可変表示の停止図柄、可変表示の停止、大当り時の表示等の可変表示に関する各種指令が示される。演出制御用マイクロコンピュータ８００では、この表示制御コマンドに応じて、特別図柄および普通図柄の可変表示等の表示制御を行なう。
【００９５】
また、演出制御用マイクロコンピュータ８００では、ランプ制御コマンドに応じて、遊技効果ランプ２８ａ〜２８ｃ、賞球ランプ５１、球切れランプ５２、役物飾りランプ４０、および装飾ランプ２５のような発光体の駆動制御（発光動作制御）を行なう。
【００９６】
また、演出制御用マイクロコンピュータ８００では、可動部材制御コマンドに応じて２つのソレノイド７１，７１および２つのソレノイド７２、７２（図においては、１組のソレノイド７１，７２が代表例として示されている）のそれぞれへ与える駆動電流を制御して各可動部材の駆動制御を行なう。
【００９７】
さらに、演出制御用マイクロコンピュータ８００では、遊技制御基板３１から伝送される効果音等の音声制御に関する指令情報としての音制御コマンドに応じて、スピーカ２７から出力される（発生される）音の制御を行なう。
【００９８】
また、遊技制御基板３１から払出制御基板３７には、払出制御基板３７により駆動制御される球払出装置９７による賞球の払出制御に関する指令情報としての払出制御コマンド等の情報が伝送される。この払出制御コマンドは、入賞球の発生に応じた賞球の払出数等を指令するコマンドである。払出制御基板３７では、払出制御用マイクロコンピュータ３７０（払出制御手段）が搭載されており、この払出制御用マイクロコンピュータ３７０が、払出制御コマンドに応じて賞球の払出制御を行なう。この払出制御用マイクロコンピュータ３７０の構成は、前述した遊技制御用マイクロコンピュータ５３と同様である。また、払出制御用マイクロコンピュータ３７０では、カードユニット５０と相互に情報通信することにより、カードユニット５０からの指令に応じた貸球の払出制御も行なわれる。
【００９９】
この実施の形態では、遊技制御基板３１および払出制御基板３７に設けられたＲＡＭが、バックアップ電源でバックアップされている。すなわち、パチンコ遊技機１に対する電力供給が停止しても、所定期間はＲＡＭの内容が保存される。そして、各制御基板におけるＣＰＵは、電源電圧の低下を検出すると、所定の処理を行なった後に電源復旧待ちの状態になる。また、電源投入時に、各制御基板におけるＣＰＵは、ＲＡＭにデータが保存されている場合には、保存データに基づいて電源断前の状態を復元する。
【０１００】
遊技制御基板３１（遊技制御用マイクロコンピュータ５３）から各制御基板へ送信される情報には、制御の指令内容を示す制御コマンドと、該コマンドの取込みタイミングを示すＩＮＴ信号とが含まれる。ここで、コマンドは、１コマンドが２バイトのデータで構成されており、制御モードの種類を指令する１バイトのＭＯＤＥデータと、ＭＯＤＥデータで指令された制御モードにおける具体的な制御内容を指令する１バイトのＥＸＴデータとにより構成される。遊技制御用マイクロコンピュータ５３は、このような２バイトのデータを、指令先の各制御基板へ順次送信することにより、制御内容を指令する。
【０１０１】
図６においては、可変表示制御機能、ランプ制御機能、可動部材制御機能、および、音制御機能のすべてを１つのマイクロコンピュータ８００に含ませ、そのマイクロコンピュータ８００が前述したような表示制御コマンド、ランプ制御コマンド、可動部材制御コマンド、および、音制御コマンドを受信し、そのコマンドに応じて各種制御を行なうようにした例を示した。このような構成を採用することにより、このパチンコ遊技機１では、表示制御、可動部材制御、ランプ制御、および、音制御を同期させた演出を容易に行なうことができる。
【０１０２】
なお、このように可変表示制御機能、ランプ制御機能、可動部材制御機能、および、音制御機能のすべてを１つのマイクロコンピュータ８００に含ませる構成に限らず、可変表示制御機能、ランプ制御機能、可動部材制御機能、および、音制御機能を複数個のそれぞれのマイクロコンピュータに分割構成したり、適宜組合せて複数個のマイクロコンピュータで構成し、各マイクロコンピュータ用に定められたコマンドに応じて各種制御を行なうようにしてもよい。
【０１０３】
次に、遊技制御用マイクロコンピュータ５３のＣＰＵ５６により実行される制御を説明する。遊技制御用マイクロコンピュータ５３では、遊技の進行を制御するための処理である遊技制御のメイン処理およびタイマ割込み処理が実行され、これらの処理により、各種制御用のサブルーチンプログラムが呼び出されて実行されることにより、各種の遊技制御が行なわれる。
【０１０４】
遊技制御用マイクロコンピュータ５３では各種制御コマンドを演出制御用マイクロコンピュータ８００に送信するが、ここでは、表示制御コマンドを例に挙げて制御コマンドの送信例を説明する。
【０１０５】
まず、遊技制御用マイクロコンピュータ５３は、特別図柄の変動パターン（可変表示時間を含む）を指定する変動パターンコマンドを送信する。変動パターンコマンドとしては、基本的に、リーチ表示態様とならずに表示結果がはずれとなる変動パターン、リーチ表示態様となった後に表示結果がはずれとなる変動パターン、および、リーチ表示態様となった後に表示結果が大当りとなる変動パターン等の各種コマンドが含まれる。これにより、演出制御用マイクロコンピュータ８００は、変動パターンコマンドを受信すると、変動パターンに加えて、リーチ表示態様となるか否かと、大当りになるか否かとのそれぞれについて認識することができる。
【０１０６】
そして、遊技制御用マイクロコンピュータ５３は、変動パターンコマンドの送信に引続き、左，中，右特別図柄の予定停止図柄を指定する停止図柄コマンドを送信する。
【０１０７】
その後、特別図柄の可変表示が開始されてから変動パターンコマンドにより指定した可変表示時間が経過した時に、遊技制御用マイクロコンピュータ５３は、特別図柄の可変表示の停止を指示するための変動停止コマンドを送信する。
【０１０８】
そして、可変表示の結果として大当りとなった場合、遊技制御用マイクロコンピュータ５３では、大当り制御時の表示制御内容を指定するコマンド等の各種コマンドを送信する制御が行なわれる。
【０１０９】
表示制御用マイクロコンピュータ８００では、前述したような各種表示制御コマンドを受信した場合に、そのコマンドにより指定される表示制御を実行する制御を行なう。
【０１１０】
次に、演出制御用マイクロコンピュータ８００のＣＰＵにより実行される制御を説明する。演出制御用マイクロコンピュータ８００では、所定の演出制御用のメイン処理の実行にしたがって、表示制御用のメイン処理と、ランプ制御用のメイン処理と、可動部材制御用のメイン処理と、音制御用のメイン処理とがそれぞれ実行される。
【０１１１】
表示制御用のメイン処理は、演出制御用マイクロコンピュータ８００の表示制御機能を実現するためのメイン処理であり、この処理の実行にしたがって各種表示制御用の複数のサブルーチンが実行され、前述したような可変表示制御が行なわれる。また、ランプ制御用のメイン処理は、演出制御用マイクロコンピュータ８００のランプ制御機能を実現するためのメイン処理であり、この処理の実行にしたがって各種ランプ制御用の複数のサブルーチンが実行され、前述したようなランプ制御が行なわれる。また、可動部材制御用のメイン処理は、演出制御用マイクロコンピュータ８００の可動部材制御機能を実現するためのメイン処理であり、この処理の実行にしたがって各種可動部材制御用の複数のサブルーチンが実行され、前述したような可動部材の制御が行なわれる。また、音制御用のメイン処理は、演出制御用マイクロコンピュータ８００の音制御機能を実現するためのメイン処理であり、この処理の実行にしたがって各種音制御用の複数のサブルーチンが実行され、前述したような音の制御が行なわれる。このように、演出制御用マイクロコンピュータ８００では、制御機能として、表示制御機能（表示制御手段）、ランプ制御手段（ランプ制御機能）、可動部材制御手段（可動部材制御機能）、および、音制御手段（音制御機能）を有している。
【０１１２】
次に、演出制御用マイクロコンピュータ８００で実行される役物飾りランプ４０の発光色制御について説明する。演出制御用マイクロコンピュータ８００では、パチンコ遊技機１の遊技状態に応じて、役物飾りランプ４０の発光色を複数の色のうちから選択し、選択した色で役物飾りランプ４０を発光させる制御が行なわれる。
【０１１３】
このような制御は、演出制御用マイクロコンピュータ８００において、遊技制御用マイクロコンピュータ５３から受けた各種コマンドおよび実行中の制御の情報等に基づいて、現在の遊技状態がどのような遊技状態（たとえば、リーチ状態前、リーチ状態中等）であるかを判断し、遊技状態と発光色との対応関係を示すデータテーブルである発光色データテーブル（図８、図９を用いて後述する。）を用いて、現在の遊技状態に対応する発光色を選択し、その選択した色で発光するように役物飾りランプ４０を制御するプログラムが実行されることにより実現される。
【０１１４】
次に、可動部材１０，１０の動作演出、役物飾りランプ４０の発光演出、および、可変表示装置８の表示演出を組合せた遊技演出の一例を説明する。以下に示す遊技演出は、遊技制御用マイクロコンピュータ５３から受信した演出制御コマンド（表示制御コマンド、ランプ制御コマンド、可動部材制御コマンド）に基づいて、演出表示制御用マイクロコンピュータ８００が実行する。
【０１１５】
図７は、可動部材１０，１０の動作演出、役物飾りランプ４０，４０の発光演出、および、可変表示装置８の表示演出を組合せた遊技演出の一例を示す可変表示装置８の拡大正面図である。
【０１１６】
（ａ）および（ｂ）に示されるように、可変表示部９においては、特別図柄として、左図柄６１，中図柄６２，右図柄６３がスクロール等の変動方式で可変表示される。（ａ）における左図柄６１，中図柄６２，右図柄６３のそれぞれを示す下向きの矢印は、図柄が変動中であることを示している。
【０１１７】
可動部材１０，１０は、特別図柄の可変表示が開始される前の段階では（ａ）に示されるような停止状態となっており、特別図柄の可変表示が開始された後も、しばらくは（ａ）に示されるような停止状態となっている。このように可動部材１０，１０が停止状態となっている状態では、役物飾りランプ４０，４０は消灯状態にされている。
【０１１８】
そして、前述した大当り予告を実行することが決定された場合には、大当り予告を行なうために、リーチ状態中における所定のタイミングにおいて、（ｂ）に示されるような動作態様で可動部材１０，１０を動作させる（龍の口を開いた態様の活動状態にする）制御が行なわれる。このときの可動部材１０，１０の動作は、リーチ中動作と呼ばれる。このようなリーチ中動作時には、（ｂ）に示されるように、役物飾りランプ４０，４０を赤色の発光色で発光させる制御が行なわれるとともに、赤色または黄色（表示結果が大当り図柄の組合せになるときには、赤色になる確率の方が黄色になる確率よりも高い）の演出画像９１，９１を特別図柄（左図柄６１，右図柄６２）の上に重ねて表示させる制御が行なわれる。これにより、龍の口から出た火炎が特別図柄に当るような状態を示す表示演出がされる。
【０１１９】
このような可動部材１０，１０のリーチ中動作による動作演出が行なわれたときに、演出画像９１，９１の色を役物飾りランプ４０，４０の発光色と同じ赤色に制御することにより、可動部材１０，１０の動作演出と可変表示装置８の表示演出との間に対応関係（龍の口の動作と火炎との対応関係）が生じるとともに、可動部材１０，１０の動作演出と可変表示装置８の表示演出との間に対応関係（龍の目の発光色と火炎の色との対応関係）が生じる。
【０１２０】
また、前述したリーチ予告を実行することが決定された場合には、リーチ予告を行なうために、右図柄６３が停止表示されるときよりも前のタイミング（言い換えると、リーチ状態が発生する時よりも前のタイミング）において、（ｂ）に示されるような動作態様と同様の態様で可動部材１０，１０を動作させる制御が行なわれる。このときの可動部材１０，１０の動作は、リーチ前動作と呼ばれる。このようなリーチ前動作時には、役物飾りランプ４０，４０を青色の発光色で発光させる制御が行なわれるとともに、（ｂ）に示される場合と同様に、青色または黄色（リーチ状態が発生するときには、青色になる確率の方が黄色になる確率よりも高い）の演出画像９１，９１を特別図柄（左図柄６１，右図柄６２）の上に重ねて表示させる制御が行なわれる。これにより、龍の口から出た火炎が特別図柄に当るような状態を示す表示演出がされる。
【０１２１】
このような可動部材１０，１０のリーチ中動作による動作演出が行なわれたときに、演出画像９１，９１の色を役物飾りランプ４０，４０の発光色と同じ青色に制御することにより、可動部材１０，１０の動作演出と可変表示装置８の表示演出との間に対応関係（龍の口の動作と火炎との対応関係）が生じるとともに、可動部材１０，１０の動作演出と可変表示装置８の表示演出との間に対応関係（龍の目の発光色と火炎の色との対応関係）が生じる。
【０１２２】
以上に示したように、可動部材１０，１０による動作演出が行なわれたときに、可変表示装置８において、可動部材１０，１０の動作態様に対応した表示演出による表示状態の制御が行なわれるとともに、役物飾りランプ４０，４０の発光態様に対応した表示演出による制御が行なわれる。
【０１２３】
次に、可動部材１０，１０により前述したリーチ前動作およびリーチ中動作のそれぞれが行なわれる時における演出画像９１の色（以下、演出表示色ともいう）と、役物飾りランプ４０，４０の発光色との関係を説明する。
【０１２４】
図８は、可動部材１０，１０によりリーチ前動作が行なわれる時における演出表示色と発光色との関係を表形式で示す図である。
【０１２５】
図８を参照して、リーチ前動作時における演出表示色は、前述した各種ランダムカウンタと同様の機能を有するランダムカウンタＲ１の抽出値に基づいて決定される。このランダムカウンタＲ１がカウントする数値範囲は、「０」〜「９９」である。そのカウンタ値は、リーチ前動作を実行することが決定された後、リーチ前動作の実行開始時よりも前の所定のタイミングで、抽出されて演出表示色の決定のために用いられる。
【０１２６】
図８においては、Ｒ１と演出表示色との対応関係がリーチ決定時（可変表示においてリーチ状態となることが事前決定されているとき）と非リーチ決定時（可変表示においてリーチ状態となることが事前決定されていないとき）とに分けて予め定められている。
【０１２７】
リーチ決定時には、Ｒ１の抽出値が「０」〜「９」のうちのいずれかである場合に演出表示色が黄色に決定され、Ｒ１の抽出値が「１０」〜「９９」のうちのいずれかである場合に演出表示色が青色に決定される。一方、リーチ非決定時には、Ｒ１の抽出値が「０」〜「８９」のうちのいずれかである場合に演出表示色が黄色に決定され、Ｒ１の抽出値が「９０」〜「９９」のうちのいずれかである場合に演出表示色が青色に決定される。このようなリーチ決定時およびリーチ非決定時におけるＲ１の抽出値と演出表示色との関係を示すデータは、データテーブル形式で演出制御用マイクロコンピュータ８００のＲＯＭに格納されており、ＲＡＭの所定領域に読出されて、演出表示色の決定のために使用される。
【０１２８】
また、図８においては、リーチ前動作が行なわれるときの発光色の設定が演出表示色と対応付けて示されている。リーチ前動作が行なわれるときの発光色は、リーチ決定時およびリーチ非決定時を問わず青色に設定される。これにより、リーチ前動作が行なわれるときには、演出制御用マイクロコンピュータ８００のランプ制御機能により、役物飾りランプ４０，４０を青色で発光させる制御が行なわれる。
【０１２９】
このように、リーチ決定時においては、発光色と同じ青色の方が、発光色と異なる黄色よりも演出表示色として決定される確率が高く設定されている。一方、リーチ非決定時においては、発光色と同じ青色の方が、発光色と異なる黄色よりも演出表示色として決定される確率が低く設定されている。このため、リーチ決定時においては、発光色と同じ青色の方が、発光色と異なる黄色よりも演出表示色として決定されやすくなっている。これにより、前述したデータテーブルでは、演出表示色と発光色とが対応する制御が行なわれるときの方が、演出表示色と発光色とが対応しない制御が行なわれるとき（演出表示色と発光色とが対応する制御が行なわれないとき）よりもリーチ状態を表示させる割合が高くなるようにデータが設定されていることとなる。
【０１３０】
このようなリーチ前動作は、リーチ状態とすることが事前決定された場合に、リーチ状態とならないことが事前決定された場合よりも実行される確率が高いため、パチンコ遊技機１においてリーチ予告として用いられる。
【０１３１】
図９は、可動部材１０，１０によりリーチ中動作が行なわれる時における演出表示色と発光色との関係を表形式で示す図である。
【０１３２】
図９を参照して、リーチ中動作時における演出表示色は、前述した各種ランダムカウンタと同様の機能を有するランダムカウンタＲ２の抽出値に基づいて決定される。このランダムカウンタＲ２がカウントする数値範囲は、「０」〜「４９」である。そのカウンタ値は、リーチ中動作を実行することが決定された後、リーチ中動作の実行開始時よりも前の所定のタイミングで、抽出されて演出表示色の決定のために用いられる。
【０１３３】
図９においては、Ｒ２と演出表示色との対応関係が大当り決定時（可変表示の表示結果が大当りとなることが事前決定されているとき）とはずれ時（可変表示の表示結果がはずれとなることが事前決定されているとき）とに分けて予め定められている。
【０１３４】
大当り決定時には、Ｒ２の抽出値が「０」〜「４」のうちのいずれかである場合に演出表示色が黄色に決定され、Ｒ２の抽出値が「５」〜「４９」のうちのいずれかである場合に演出表示色が赤色に決定される。一方、はずれ決定時には、Ｒ２の抽出値が「０」〜「４４」のうちのいずれかである場合に演出表示色が黄色に決定され、Ｒ２の抽出値が「４５」〜「４９」のうちのいずれかである場合に演出表示色が赤色に決定される。このような大当り決定時およびはずれ決定時におけるＲ２の抽出値と演出表示色との関係を示すデータは、データテーブル形式で演出制御用マイクロコンピュータ８００のＲＯＭに格納されており、ＲＡＭの所定領域に読出されて、演出表示色の決定のために使用される。
【０１３５】
また、図９においては、リーチ中動作が行なわれるときの発光色の設定が演出表示色と対応付けて示されている。リーチ中動作が行なわれるときの発光色は、大当り決定時およびはずれ決定時を問わず赤色に設定される。これにより、リーチ中動作が行なわれるときには、演出制御用マイクロコンピュータ８００のランプ制御機能により、役物飾りランプ４０，４０を赤色で発光させる制御が行なわれる。
【０１３６】
このように、大当り決定時においては、発光色と同じ赤色の方が、発光色と異なる黄色よりも演出表示色として決定される確率が高く設定されている。一方、はずれ決定時においては、発光色と同じ赤色の方が、発光色と異なる黄色よりも演出表示色として決定される確率が低く設定されている。このため、大当り決定時においては、発光色と同じ赤色の方が、発光色と異なる黄色よりも演出表示色として決定されやすくなっている。これにより、前述したデータテーブルでは、演出表示色と発光色とが対応する制御が行なわれるときの方が、演出表示色と発光色とが対応しない制御が行なわれる（演出表示色と発光色とが対応する制御が行なわれないとき）ときよりも大当りの表示結果となる割合が高くなるようにデータが設定されていることとなる。
【０１３７】
このようなリーチ中動作は、大当りとなることが事前決定された場合に、はずれとなることが事前決定された場合よりも実行される確率が高いため、パチンコ遊技機１において大当り予告として用いられる。
【０１３８】
次に、前述したようなリーチ前動作時およびリーチ中動作時のそれぞれにおける表示演出をするために演出制御用マイクロコンピュータ８００で実行される制御内容を説明する。
【０１３９】
演出制御用マイクロコンピュータ８００では、表示制御用のメイン処理の進行にしたがって実行されるサブルーチンの１つとして、動作対応表示態様選択処理が含まれている。この動作対応表示態様選択処理は、特別図柄の可変表示が実行される際の可動部材１０，１０の動作に対応して可変表示部９での表示態様を選択し、可動部材１０，１０の動作に対応する表示制御を行なうための制御データを設定する処理である。この動作対応表示態様選択処理により制御データが設定されると、表示制御用の制御データに基づいて可変表示部９に画像表示を行なうための表示実行処理にしたがって、設定された制御データに応じたリーチ前動作時の表示演出およびリーチ中動作時の表示演出が行なわれる。
【０１４０】
図１０は、動作対応表示態様選択処理の処理内容を示すフローチャートである。
【０１４１】
図１０を参照して、まず、ステップ（以下、単にＳという）１により、リーチ前動作条件が成立しているか否かが判断される。具体的に、Ｓ１では、演出制御用マイクロコンピュータ８００において、実行する可変表示についてリーチ予告を実行する決定がされているときにリーチ前動作条件が成立していると判断する。
【０１４２】
Ｓ１によりリーチ前動作条件が成立していないと判断された場合は、後述するＳ５に進む。一方、Ｓ１によりリーチ前動作条件が成立していると判断された場合は、Ｓ２に進み、リーチ前動作の実行に対応して、予め定められた演出画像９１等のリーチ前動作用の画像を表示する第１演出表示を実行することが選択され、その第１演出表示を実行するための制御データ（演出画像９１の色を除くデータ）がＲＡＭの作業領域に設定される。
【０１４３】
次に、Ｓ３に進み、現在がリーチ決定時であるか非リーチ決定時であるかを判別する処理がなされる。具体的には、リーチ前動作の対象となる可変表示について受信した変動パターンコマンドがリーチ表示態様となる変動パターンを指定するコマンドと、リーチ表示態様とならない変動パターンを指定するコマンドとのどちらであるかを解析して、リーチ表示の変動パターンを指定するコマンドである場合はリーチ決定時であると判別し、一方、リーチ表示態様とならない変動パターンを指定するである場合は非リーチ決定時であると判別する。
【０１４４】
Ｓ４に進み、前述した演出表示色決定用のランダムカウンタＲ１からカウンタ値を抽出する処理がなされる。そして、Ｓ５に進み、前述したリーチ前動作時の演出表示色決定用のデータテーブルを用い、Ｓ３によるリーチ決定時であるか否かの判定結果に応じ、Ｒ１の抽出値と演出表示色との関係に基づいて、Ｓ４により抽出された抽出値から、演出表示色がランダムに決定され、決定された演出表示色を表示するための制御データが第１演出表示用のデータと対応付けられてＲＡＭの作業領域に設定される。
【０１４５】
Ｓ６では、リーチ中動作条件が成立しているか否かが判断される。具体的に、Ｓ６では、演出制御用マイクロコンピュータ８００において、実行する可変表示について大当り予告を実行する決定がされているときにリーチ中動作条件が成立していると判断する。
【０１４６】
Ｓ６によりリーチ中動作条件が成立していないと判断された場合は、この動作対応表示態様選択処理のサブルーチンが終了し、元の処理ルーチンにリターンする。一方、Ｓ６によりリーチ中動作条件が成立していると判断された場合は、Ｓ７に進み、リーチ中動作の実行に対応して、予め定められた演出画像９１等のリーチ中動作用の画像を表示する第２演出表示を実行することが選択され、その第２演出表示を実行するための制御データ（演出画像９１の色を除くデータ）がＲＡＭの作業領域に設定される。
【０１４７】
次に、Ｓ８に進み、大当り決定時であるかはずれ決定時であるかを判別する処理がなされる。具体的には、リーチ中動作の対象となる可変表示について受信し受信した変動パターンコマンドが大当りとなる変動パターンを指定するコマンドと、はずれとなる変動パターンを指定するコマンドとのどちらであるかを解析して、大当りとなる変動パターンを指定するコマンドである場合は大当り決定時であると判別し、一方、はずれとなる変動パターンを指定するコマンドである場合ははずれ決定時であると判別する。
【０１４８】
そして、Ｓ９に進み、前述した演出表示色決定用のランダムカウンタＲ２からカウンタ値を抽出する処理がなされる。そして、Ｓ１０に進み、Ｓ９による大当り決定時であるか否かの判定結果に応じ、前述したリーチ中動作時の演出表示色決定用のデータテーブルを用い、Ｒ２の抽出値と演出表示色との関係に基づいて、Ｓ９により抽出された抽出値から、演出表示色がランダムに決定され、決定された演出表示色を表示するための制御データが第２演出表示用のデータと対応付けられてＲＡＭの作業領域に設定される。Ｓ１０の後、この動作対応表示態様選択処理のサブルーチンが終了し、元の処理ルーチンにリターンする。
【０１４９】
このように動作対応表示態様選択処理によりリーチ前動作およびリーチ中動作の実行のための制御データが設定されると、前述した表示実行処理が実行されることにより、図７〜図９に示された表示態様での表示が可変表示部９において行なわれる。
【０１５０】
次に、この実施の形態により得られる主な効果をまとめて説明する。
演出制御用マイクロコンピュータ８００が実行する動作対応表示態様選択処理等の表示制御処理の実行により、図７の（ｂ）に示されるような役物飾りランプ４０，４０により発光演出がされた可動部材１０，１０の動作態様に対応した演出画像９１の表示等の表示演出を表示する可変表示部９の表示状態の制御が実行されるとともに、表示演出を役物飾りランプ４０，４０の発光態様（すなわち、発光色）に対応した表示態様（すなわち、演出表示色を発光色と一致させる表示態様）により表示する可変表示部９の表示状態の制御がされるので、表示演出の工夫により、動作演出、発光演出、および、表示演出を相互に直接的に組合せた演出を行なうことができる。これにより、表示演出を介在して３種類の演出に一体的な連係感が生じ、複数種類の演出の組合せによる演出効果を向上させることができ、遊技の興趣を向上させることができる。
【０１５１】
図５に示されるように、可動部材１０が活動状態時と待機状態時とのような可動範囲内でのいずれの位置にあっても、役物飾りランプ４０からの光が透光部１０ｅを透過するので、可動部材１０が動作していないときと可動部材１０が動作しているときとのいずれの状態であっても可動部材１０を光らせることができる。これにより、可動部材１０が可変表示装置８での可変表示部９の表示に関連して動作する遊技の演出の演出態様を多彩化することができ、遊技の興趣を向上させることができる。しかも、可動部材１０自体に発光体を設ける必要がないので、可動部材１０の構造を単純化することができる。さらに、可動部材１０による動作演出と役物飾りランプ４０による発光演出とを隣接して行なうことができるので、動作演出と発光演出とが組合わされた演出を遊技者により分かりやすくすることができる。
【０１５２】
また、図３に示されるように、可動部材１０の可動範囲が可動部材１０が可動範囲内でのいずれの位置であっても可変表示装置８（可変表示部９）の前面側に位置するように設定されているので、表示演出と動作演出との組合せにより、視覚的な遊技の演出が行なわれる範囲を可変表示装置８（可変表示部９）での表示が行なわれる領域を超えた範囲まで拡張することができ、遊技の演出を多彩化することができる。また、可動部材１０が動作していないときでも、可動部材１０に対応した表示演出を可変表示装置８（可変表示部９）に表示することにより可動部材１０と可変表示装置８（可変表示部９）との組合せによる演出を行なうことができる。
【０１５３】
また、図８および図９に示されるように、役物飾りランプ４０の発光色と同じ色を用いた演出画像９１により表示演出がされるので、発光演出と表示演出とが対応関係を持って実行されていることを分かりやすく示すことができる。
【０１５４】
また、図８に示されるように、演出画像９１による演出表示色と役物飾りランプ４０による発光色とが対応する制御が行なわれるときの方が、そのような演出表示色と発光色とが対応する制御が行なわれないときよりもリーチ状態を表示させる割合が高くなるようにデータが設定されているので、役物飾りランプ４０の発光態様（具体的には発光色）に対応した表示演出がされるか否かに基づいて、遊技者の期待感および興趣を向上させることができる。
【０１５５】
また、図９に示されるように、演出画像９１による演出表示色と役物飾りランプ４０による発光色とが対応する制御が行なわれるときの方が、そのような演出表示色と発光色とが対応する制御が行なわれないときよりも大当りの表示結果となる割合が高くなるようにデータが設定されているので、役物飾りランプ４０の発光態様（具体的には発光色）に対応した表示演出がされるか否かに基づいて、遊技者の期待感および興趣を向上させることができる。
【０１５６】
また、図６に示されるように、可動部材１０、役物飾りランプ４０、および、可変表示装置８（可変表示部９）が１つのマイクロコンピュータ、すなわち、演出制御用マイクロコンピュータ８００により制御されるので、動作演出、発光演出、および、表示演出を相互に対応させた演出の実行を容易化することができる。さらに、このような動作演出、発光演出、および、表示演出を相互に対応させた演出において、各演出間の対応関係に狂いを生じにくくさせることができる。
【０１５７】
また、図３に示されるように、可動部材１０が可変表示部９の前面側において可変表示部９の周囲を装飾する装飾部材である表飾り（ミドルベース８ａ，センターベース８ｂ等により構成される）に設けられているので、可動部材１０と可変表示部９とを近傍に配置することができ、可動部材１０が可変表示部９での表示に関連して動作する遊技の演出をより表現しやすくなり、遊技の演出の演出効果を向上させることができる。
【０１５８】
また、図３に示されるように、可変表示部９により、可動部材１０が可変表示部９の表示領域の前面に位置するときに、火炎の演出画像９１のような可動部材１０の動作と関連性を有する表示が行なわれるので、可動部材１０が可変表示部９での表示に関連して動作する遊技の演出がより具体化されるため、遊技の演出の演出効果をより一層向上させることができる。
【０１５９】
また、図５に示されるように、役物飾りランプ４０からの光を遮蔽する遮蔽部８２が少なくとも役物飾りランプ４０が設けられた位置、すなわち、導光部８１の可変表示部９側に設けられるので、光が可変表示部９に入り込んで可変表示部９の表示が見づらくなることを防止することができる。
【０１６０】
また、図５に示されるように、導光部８１の内部空間は、内縁が、役物飾りランプ４０の外縁よりも広く、かつ、可動部材１０（透光部１０ｅ）の可動範囲よりも狭いので、役物飾りランプ４０からの光を広げて透光部１０ｅに導くことができるとともに、その光を不必要に拡散させないようにすることができる。
【０１６１】
次に、以上説明した実施の形態の変形例や特徴点を以下に列挙する。
（１）　前述した実施の形態においては、図３に示されるように、可動部材１０が待機状態にある場合にも可変表示部９の表示領域の前面側に一部が突出している例を示したが、これに限らず、可動部材１０が待機状態にある場合には、可動部材１０が可変表示部９の表示領域の前面側に全く位置しないようにしてもよい。
【０１６２】
（２）　前述した実施の形態においては、可動部材の一例として、図３に示されるように、複数の部材を連結して構成された可動部材を示した。しかし、これに限らず、可動部材は、１つの部材により構成されてもよい。
【０１６３】
（３）　前述した実施の形態においては、可動部材１０を２つのソレノイドで駆動する例を説明した。しかし、これに限らず、可動部材１０は、１つまたは２つ以外の複数のソレノイドで駆動するようにしてもよい。また、ソレノイド以外、たとえば（ステッピング）モータ等のアクチュエータで駆動するようにしてもよい。
【０１６４】
（４）　前述した実施の形態に示した導光部８１は、内縁（内部空間の縁）が、先端部の方（透光部１０ｅに向かう方の先端部）が広がっているものであってもよい。
【０１６５】
（５）　前述した実施の形態においては、１つのマイクロコンピュータ（演出制御用マイクロコンピュータ８００）が遊技制御用マイクロコンピュータ５３から各制御用のコマンドを受けて、可変表示制御、ランプ制御、可動部材制御、および音制御等の各制御を行なうようにしている例を示したが、これに限らず、１つのマイクロコンピュータが遊技制御用マイクロコンピュータ５３から各制御用のコマンドを受けて、可変表示制御、ランプ制御、および、可動部材制御を行なうようにしてもよい。その場合には、別のマイクロコンピュータが遊技制御用マイクロコンピュータ５３から音制御用のコマンドを受けて音制御を行なう。また、これに限らず、演出制御用マイクロコンピュータ８００が有する機能を複数個のマイクロコンピュータに分割して持たせるようにしてもよい。つまり、可変表示制御、ランプ制御、可動部材制御、および音制御を複数個のマイクロコンピュータが実行するようにし、その複数個のマイクロコンピュータが遊技制御用マイクロコンピュータ５３からそれぞれ各制御用のコマンドを受けて各制御を行なうようにしてもよい。また、可変表示制御およびランプ制御と、音制御または可動部材制御のうちのいずれか１つとを１つのマイクロコンピュータが実行するようにし、そのマイクロコンピュータが遊技制御用マイクロコンピュータ５３から各制御用のコマンドを受けて各制御を行なうようにしてもよい。また、演出制御用マイクロコンピュータ８００において、各種の表示制御コマンドについて、可変表示制御、ランプ制御、可動部材制御、および音制御等の各制御の制御内容を対応付けて予め定めて（記憶して）おき、演出制御用マイクロコンピュータ８００が、遊技制御用マイクロコンピュータ５３から表示制御用のコマンドを受けたときに、その表示制御コマンドに基づいて、対応する可変表示制御、ランプ制御、可動部材制御、および音制御等を行なうようにしてもよい。そのようにすれば、ランプ制御用、可動部材制御用、および音制御用のそれぞれの制御コマンドが不要となる。
【０１６６】
（６）　また、前述した実施の形態においては、可変表示制御用のマイクロコンピュータが設置された可変表示制御基板と、可動部材制御用のマイクロコンピュータが設置された可動部材制御基板と、ランプ制御用のマイクロコンピュータが設置されたランプ制御基板と、音制御用のマイクロコンピュータが設置された音制御基板とを別体構成し、可変表示制御用のマイクロコンピュータが、遊技制御用マイクロコンピュータ５３から各種制御用のコマンドを受け、さらに、可変表示制御用のマイクロコンピュータから可動部材制御用のマイクロコンピュータ、ランプ制御用のマイクロコンピュータ、および、音制御用のマイクロコンピュのそれぞれに各制御用のコマンドを送信することにより、可変表示制御、可動部材制御、ランプ制御、および、音制御が同期して実行される演出制御が実行できるようにしてもよい。
【０１６７】
（７）　前述した実施の形態では、可動部材１０が活動状態となって可変表示部９の前面側に突出した場合に可変表示部９において可動部材１０の動作に関連して行なわれる表示例として、龍の開口動作と火炎との関連というような観念的な関連性を示すものを示したが、この表示の関連性は、たとえば、可動部材が可変表示部９の前面側に突出すると特別図柄が可動部材１０を避けるように移動する表示のように、より具体的な関連性であってもよい。つまり、このような表示の関連性は、可動部材１０の動作と可変表示部９の表示との間に何らかの関係があると認識できるものであればどのような関連性であってもよい。
【０１６８】
（８）　前述した実施の形態では、役物飾りランプ４０の発光態様に対応した表示演出として、ランプの発光色と同じ色で演出画像９１を表示する例を示した。しかし、これに限らず、役物飾りランプ４０の発光態様に対応した表示演出としては、役物飾りランプ４０の点滅に合わせて演出画像９１を点滅表示することであってもよく、役物飾りランプ４０の発光色の濃淡変化に合わせて演出画像９１を点滅表示することであってもよい。
【０１６９】
（９）　前述した実施の形態は、次のように表現することもできる。表示状態が変化可能な可変表示装置（可変表示装置８、可変表示部９）を有し、該可変表示装置の表示結果が予め定められた表示態様（大当り図柄の組合せ）になったときに遊技者にとって有利な特定遊技状態（大当り遊技状態）に制御可能となる遊技機（パチンコ遊技機１）であって、遊技者に動作が視認可能な箇所に設けられ、予め定められた可動範囲で前記可変表示装置での表示に関連した動作演出（リーチ状態の報知等）を含む遊技の演出に用いられる可動演出手段（可動部材１０）と、該可動演出手段とは別体に設けられ、該可動演出手段の裏面側で発光する発光体（役物飾りランプ４０）とを備え、前記可動演出手段は、光を透過する透光部（透光部１０ｅ）を有し、前記発光体は、前記可動演出手段が前記可動範囲内でのいずれの位置であっても、前記発光体からの光が前記透光部を透過可能な位置に設けられている（図５の（ａ），（ｂ）参照）。
【０１７０】
このような構成によれば、可動演出手段が可動範囲内でのいずれの位置であっても、発光体からの光が透光部を透過するので、可動演出手段が動作していないときと可動演出手段が動作しているときとのいずれの状態であっても可動演出手段を光らせることができる。これにより、可動演出手段が可変表示装置での表示に関連して動作する遊技の演出の演出態様を多彩化することができ、遊技の興趣を向上させることができる。しかも、可動演出手段自体に発光体を設ける必要がないので、可動演出手段の構造を単純化することができる。
【０１７１】
（１０）　前述した実施の形態は、次のように表現することもできる。前記可動演出手段は、前記可変表示装置の前面側において可変表示装置の周囲を装飾する装飾部材（ミドルベース８ａ，センターベース８ｂ等により構成される表飾り）に設けられている（図３参照）。
【０１７２】
このような構成によれば、可動演出手段が可変表示装置の前面側において可変表示装置の周囲を装飾する装飾部材に設けられているので、可動演出手段と可変表示装置とを近傍に配置することができ、可動演出手段が可変表示装置での表示に関連して動作する遊技の演出をより表現しやすくなり、遊技の演出の演出効果を向上させることができる。
【０１７３】
（１１）　前述した実施の形態は、次のように表現することもできる。前記可動範囲は、前記可変表示装置（可変表示部９）の前面を含み（図３参照）、前記可変表示装置は、前記可動演出手段が前面に位置するときに、前記可動演出手段の動作と関連性を有する表示（火炎の画像９１の表示）を行なう（図３の（ｂ）参照）。
【０１７４】
このような構成によれば、可変表示装置により、可動演出手段が前面に位置するときに可動演出手段の動作と関連性を有する表示が行なわれるので、可動演出手段が可変表示装置での表示に関連して動作する遊技の演出がより具体化されるため、遊技の演出の演出効果をより一層向上させることができる。
【０１７５】
（１２）　前述した実施の形態は、次のように表現することもできる。少なくとも前記発光体が設けられた位置の前記可変表示装置側に設けられ、前記発光体からの光を遮蔽する遮蔽部材（遮蔽部８２）をさらに含む。
【０１７６】
このような構成によれば、発光体からの光を遮蔽する遮蔽部材が少なくとも発光体が設けられた位置の可変表示装置側に設けられるので、光が可変表示装置に入り込んで可変表示装置の表示が見づらくなることを防止することができる。
【０１７７】
（１３）　前述した実施の形態は、次のように表現することもできる。前記発光体を発光制御する制御手段（演出制御用マイクロコンピュータ８００）をさらに備え、前記発光体は、複数の色で発光する機能を有し、　前記制御手段は、遊技状態に応じて前記複数の色のうちからいずれかの色を選択し、選択した色によって発光制御する（図８、図９参照）。
【０１７８】
このような構成によれば、発光体が遊技状態に応じて複数の色のうちから選択されたいずれかの色で発光制御されるので、可動演出手段が可変表示装置での表示に関連して動作する遊技の演出の演出態様をより一層多彩化することができ、遊技の興趣をより一層向上させることができる。
【０１７９】
（１４）　前述した実施の形態は、次のように表現することもできる。前記発光体からの光を前記透光部へ導くための内部空間が形成された導光部（導光部８１）をさらに含み、前記内部空間は、内縁が、前記発光体の外縁よりも広く、かつ、前記可動範囲よりも狭い（図５参照）。
【０１８０】
このような構成によれば、導光部の内部空間は、内縁が、発光体の前記外縁よりも広く、かつ、可動演出手段の可動範囲よりも狭いので、発光体からの光を広げて透光部に導くことができるとともに、その光を不必要に拡散させないようにすることができる。
【０１８１】
（１５）　今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】遊技機の一例のパチンコ遊技機を正面から見た正面図である。
【図２】パチンコ遊技機の遊技盤面を正面から見た正面図である。
【図３】可動部材の構成および動作状態を示す可変表示装置の拡大正面図である。
【図４】可変表示装置の分解斜視図である。
【図５】役物飾りランプと可動部材の透光部との関係を示す可変表示装置の拡大図である。
【図６】パチンコ遊技機における各種制御基板を含む制御回路の構成の一例を示すブロック図である。
【図７】可動部材の動作演出、役物飾りランプの発光演出、および、可変表示装置の表示演出を組合せた遊技演出の一例を示す可変表示装置の拡大正面図である。
【図８】可動部材によりリーチ前動作が行なわれる時における演出表示色と発光色との関係を表形式で示す図である。
【図９】可動部材によりリーチ中動作が行なわれる時における演出表示色と発光色との関係を表形式で示す図である。
【図１０】動作対応表示態様選択処理の処理内容を示すフローチャートである。
【符号の説明】
９　可変表示部、８　可変表示装置、１　パチンコ遊技機、１０　可動部材、４０　役物飾りランプ、８００　演出制御用マイクロコンピュータ、１０ｅ　透光部。
【図１】
2004041439.tif 000003
【図２】
2004041439.tif 000004
【図３】
2004041439.tif 000005
【図４】
2004041439.tif 000006
【図５】
2004041439.tif 000007
【図６】
2004041439.tif 000008
【図７】
2004041439.tif 000009
【図８】
2004041439.tif 000010
【図９】
2004041439.tif 000011
【図１０】
2004041439.tif 000012